(57)【特許請求の範囲】
【請求項１】
水洗便器の落とし口に排泄物吸引搬送ポンプを直結し、このポンプによって搬送された排泄物を微生物分解槽で分解処理する微生物分解形水洗便所において、上記微生物分解槽が、外側槽と内側槽とからなり、内側槽は、その外周面に透水構造を有する円筒形であり、この内側槽が、外側槽の対向する両壁を貫通する中空軸により回転可能に支持され、その中空軸の略中央に隔壁を形成し、この隔壁の片側に排泄物の流入口を開口し、この中空軸端に前記排泄物搬送ポンプからの配管を接続し、前記隔壁の他側に分解ガス排出口を設けてなることを特徴とする微生物分解形水洗便所。
【請求項２】
上記内側槽の透水構造がパンチングネットまたはワイヤネットであり、内側槽の内側内周面に攪拌翼を設けてなることを特徴とする請求項１に記載の微生物分解形水洗便所。
【請求項３】
上記微生物分解形水洗便所において、上記内側槽の透水構造の透孔の専有面積率が１乃至３％であり、上記外側槽の形状を円筒形状とし、その内面にパネルヒーターを備えてなる請求項１または２に記載の微生物分解形水洗便所。
【発明の詳細な説明】
【０００１】
【発明の属する技術分野】
この発明は、微生物の分解機能を一層有効に発揮させ得る構造を有する微生物分解形水洗便所に関する。
【０００２】
【従来の技術】
出願人は、微生物分解形水洗便所として、水洗便器の落とし口にポンプを直結して配管系の構造を簡略化し、併せて、水洗に要する水量を大幅に節減し、これによって微生物の流出を防止すると共に培養・増殖を旺盛にした微生物分解形水洗便所を提供してきた。
【０００３】
ところで、従来形の微生物分解槽は、水洗便器から配管を経由して搬送された排泄物を、微生物を着床させた担持体を投入した微生物分解槽で蓄溜し、ここで一定の水分量と一定の温度を保ちながら攪拌して、微生物を培養・増殖しながら排泄物を分解し、分解ガスと水と分解残渣とするものであり、その構造は、分解槽中に攪拌翼を設け、これを所定の間隔で攪拌するものであった。
【０００４】
【発明が解決しようとする課題】
上記従来形の微生物分解槽では、分解槽と攪拌翼との間にどうしてもデッドコーナーが存在し、その部分の分解が不十分になる問題をもっていた。
【０００５】
上記問題に鑑みこの発明は、微生物分解形水洗便所において、微生物分解槽の内部で、排泄物攪拌のデッドコーナーが発生しないようにして、微生物分解が均等に進行するようにし、確実な浄化を可能にすることを課題とする。
【０００６】
【課題を解決するための手段】
上記課題を解決するために請求項１の発明は、水洗便器に排泄物搬送ポンプを直結し、このポンプによって搬送された排泄物を微生物分解槽で分解処理する微生物分解形水洗便所において、上記微生物分解槽が、外側槽と内側槽とからなり、内側槽は、外周面に多数の透孔を穿設した円筒形であり、この内側槽が、外側槽の対向する両壁を貫通する中空軸により回転可能に支持され、その中空軸の略中央に隔壁を形成し、この隔壁の片側に排泄物の流入口を開口し、この中空軸端に前記排泄物搬送ポンプからの配管を接続し、前記隔壁の他側に分解ガス排出口を設けてなる構成を採用したものである。
【０００７】
上記の如く構成する発明にあっては、分解槽それ自体が回転するので蓄溜された排泄物全体が反転・攪拌されるので、攪拌のデッドコーナーの生ずる余地がなく、極めて良好に微生物分解が進行する。
【０００８】
また、請求項２の発明は、上記内側槽の内側内周面に攪拌翼を設けてなる構成を採用したものである。このように構成するこの発明にあっては、円筒状の内側槽が回転するときに、蓄溜された排泄物が上記攪拌翼によって天地返しされて一層攪拌効果が発揮される。
【０００９】
請求項３の発明は、上記微生物分解形水洗便所において、外側槽を円筒形状とし、その内面にパネルヒーターを備えてなる構成を採用したものである。
【００１０】
上記の如く構成するこの発明にあっては、外側槽を円筒形にし、その内面にパネルヒーターを備えることにより、パネルヒーターによる微生物分解槽の加熱が均等になり、微生物の増殖・培養と微生物反応が理想的な状態で進行する。
【００１１】
【発明の実施の形態】
次に、この発明の実施形態を図面を参照しながら説明する。図２において１は、水洗便器で、水洗便器１の落ち口２には、ポンプ３が直結されている。ポンプの３吐出口４からは配管５が延びて微生物分解槽６に繋がれている。なお、７は、注水コック、８は、注水管である。
【００１２】
微生物分解槽６の内部構造は、図１のようになっている。架台９の内寄りに支持枠１０が設けられ、この支持枠１０には、断面円筒形の外側槽１１（６３０φ×７９０）が支持され、その左右両壁２３の中央で３５mm上に偏心した位置に水平方向に貫通孔１２が開けられていて、その貫通孔１２の外側には軸受け１３が一体に設けられている。
【００１３】
軸受け１３には中央に隔壁１４を設けた外径５５mmφ×内径３９mmφの中空軸１５が貫通している。この中空軸１５の隔壁１４の片側には排泄物流入口１６が開口し、他側には微生物分解ガスを排出する分解ガス排出口１７が設けられている。
【００１４】
この中空軸には円筒形の内側槽１８（５００mmφ×７００）が回転可能に支持されていて、この内側槽の外周板１９には多数の透孔２０（３×２５mm×２１０個）が穿設（透孔の占有面積は約１．５％）され、内部には断面三角形の攪拌翼２１が設けられている。上記透孔２０は、３×２５mmの長孔としているが、３mmφの円孔としてもよく、また、長孔の長さを２５mmより長くしてもよい。この場合、長孔の幅はこれより大きくすることは、バイオチップが槽外に水分と共に流出してしまうことになるので好ましくない。また、透孔２０があまり小さ過ぎると、目詰まりにより排泄物の分解により発生する水分の濾過ができなくなる。したがって透孔２０の大きさは２．０mmから３．５mm程度である。また、透孔の専有面積は、透孔２０が大きいときは小さくし、細かいときは大きくする。したがって総じて透孔の専有面積は１．０％から３．０％の範囲である。
【００１５】
なお、上記内側槽は、上記のように透孔を穿設したパンチングネットを採用したが、ワイヤネットを用いることもできる。
【００１６】
外側槽１１の底部内面には、パネルヒーター２２（幅６８０mm×長さ１９７０mm）が敷きつめられて微生物の増殖と分解反応が促進される適温（３０から４０℃）に保持される。上記外側槽１１を円筒形にしているのは、内面に敷きつめたパネルヒーター２２による内側槽１８の保温をできるだけ均等にするためのもので、必ずしも円筒形にすることはない。
【００１７】
なお、内側槽１８は、使用の都度吸引搬送ポンプ３が作動し、排泄物が内側槽１８に搬送されたのち５乃至１０分間、１乃至２回／分の速度で回転させる。内側槽は過度に攪拌すると分解反応を返って遅らせる結果となる。要は、搬送されてきた排泄物がバイオチップと十分混ざった状態で停止し、分解反応に適した温度と湿度で放置するのが理想的である。
【００１８】
排泄物が微生物分解すると、分解ガスと、残渣と水とになる。発生した水分は、前述の透孔から外側槽１１に滴下するが、外側槽１１の底部には滴下水分（余水）を集める集水枡２４が設けられ、この集水枡２４に設置された水位検知センサー付モーター２５の作動により、余水が送水管２６を経て内側槽１８に給水されて水分量が維持される。なお、集水枡には、排水口２７が設けられている。
【００１９】
なお、図示していないが、外側槽１１および内側槽１８には、内部を保全するための着脱可能な蓋体を設けている。
【００２０】
【発明の効果】
以上説明したごとく、この発明によれば微生物分解形水洗便所において、微生物分解槽の内部で、排泄物攪拌のデッドコーナーが発生しないようになり、微生物分解が均等に進行し、確実な浄化が可能になった。
【図面の簡単な説明】
【図１】この発明の実施形態に係る微生物分解形浄化槽の縦断面図
【図２】同概略説明の斜視図
【符号の説明】
５  配管
６  微生物分解槽
１１  外側槽
１４  隔壁
１５  中空軸
１６  排泄物流入口
１７  分解ガス排出口
１８  内側槽
１９  外周板
２０  透孔
２１  攪拌翼
２２  パネルヒーター
【図１】
0003798097.tif 000002
【図２】
0003798097.tif 000003